(57)【特許請求の範囲】
【請求項１】
トラックの荷台部分のシャーシ上あるいはトラクターに牽引される台車のシャーシ上に搭載するものであって、
前記シャーシ上に載置されかつその後端側がダンプ式に押し上げられるようにその前端側を前記シャーシに回動可能に取り付けたダンプ式の機枠と、前記シャーシに取り付けられて前記機枠の後端側を押し上げる油圧シリンダと、前記機枠上に取り付けたフェアウェイ用ホッパーと、前記機枠に設置されて前記フェアウェイ用ホッパーからの落下目砂を後方に繰り出す目砂繰出機構と、この目砂繰出機構の前記シャーシから後方に突き出る目砂放出部の付近に位置するように前記機枠に架設される回転縦軸と、この回転縦軸の下端に着脱可能に取り付けられて前記目砂放出部からの落下目砂を回転力により水平方向に飛散させる回転羽根とを備え、
かつ前記回転羽根を前記回転縦軸から外した後、前記油圧シリンダにより前記機枠の後端側を押し上げることにより、高さスペースのできた前記目砂放出部の下方にグリーン用目砂散布機をもぐり込ませて、そのグリーン用ホッパーに前記目砂放出部から直に目砂を投入するようにしたことを特徴とするフェアウェイ用目砂散布機。
【請求項２】
回転縦軸を左右に並べた２本とし、この２本の回転縦軸を２個の軸受部材によりそれぞれ機枠に架設し、かつこの軸受部材をそれぞれ前後方向に傾動させることにより、前記各回転縦軸の下端がそれぞれ前後方向に揺動するようにしたものであって、
前記２本の回転縦軸の下端にそれぞれ着脱可能に取り付けられる２枚の回転羽根を、回転縦軸の下端に嵌め込む円盤と、この円盤の上面にそれぞれ向き変更調節可能に取り付けられかつ円盤の円周方向に等間隔に３個以上存在する飛散部材とで構成し、
かつ目砂繰出機構の目砂放出部からは両回転羽根の突き合う側の前方円盤上に等しく目砂が落下するようにすると共に、この落下目砂は飛散部材により互いに向き合ったまま後方に飛散されるように両回転羽根の回転方向を異ならせたことを特徴とする請求項１記載のフェアウェイ用目砂散布機。
【請求項３】
トラックあるいはトラクターのＰＴＯ軸を駆動源とする油圧ポンプと、油圧バルブを介して前記油圧ポンプにより駆動される油圧モータとを備え、この油圧モータによって回転羽根及び目砂繰出機構を駆動するようにしたことを特徴とする請求項１または２記載のフェアウェイ用目砂散布機。
【請求項４】
フェアウェイ用ホッパーをシャーシ上のほぼ全面に乗っかる大きさとすると共にその内部に２枚の仕切板を設けてその下半分を前後方向に三区分し、かつこのフェアウェイ用ホッパーの下方出口をその前後方向の全長にわたって開口する長孔形状とすると共にこの下方出口からの落下目砂を受け止めるように目砂繰出機構を配置して、この目砂繰出機構により目砂を後方に繰り出して後端の目砂放出部から目砂を放出するようにしたことを特徴とする請求項１〜３記載のいずれかのフェアウェイ用目砂散布機。
【発明の詳細な説明】
【技術分野】
【０００１】
本発明は、ゴルフ場のフェアウェイ（芝生）に目砂を散布するフェアウェイ用目砂散布機に関するものである。
【背景技術】
【０００２】
ゴルフ場の目砂散布の時期は、そのゴルフ場の芝生の種類や現地の気象条件によっても多少異なるが、一般的に、フェアウェイでは春か秋の年一回、グリーンでは週一回か１０日に一回とされている。
【０００３】
ゴルフ場のフェアウェイに目砂を散布する場合には、フェアウェイが広大で、アップダウンがあり、散布する目砂の量も膨大な量となるために、フェアウェイ用の目砂散布機としては、本機をトラックの荷台部分のシャーシ上に搭載してトラックにより走行しながら目砂を散布するトラック搭載式目砂散布機や、本機をトラクターに牽引される台車のシャーシ上に搭載してトラクターにより牽引走行しながら目砂を散布するトラクター牽引式目砂散布機などが使用されている。
【０００４】
従って、従来のこの種のフェアウェイ用目砂散布機は、トラックやトラクターなどによりフェアウェイを走行しながら目砂をフェアウェイに散布するので、大容量のフェアウェイ用ホッパーによって一度に多量の目砂を散布できるようになっていると共に、走行する回転羽根によって目砂を均一に広く飛散させることができるようになっている。
【０００５】
なお、グリーンでの目砂散布では、一般的に、グリーン用ホッパーに収容する目砂の量を極力少なくした小型軽量のグリーン用目砂散布機が使用されている。かかるグリーン用目砂散布機では、大抵の場合手押しによってグリーンに目砂を散布することにより、トラックやトラクターなどの使用によるグリーン（芝生）の痛みがないようにしている。
【発明の開示】
【発明が解決しようとする課題】
【０００６】
本発明の解決しようとする問題は、この種のフェアウェイ用目砂散布機では春か秋の年一回の目砂散布にしか使用できないために、これが高価で嵩の高いものであっても、一年のほとんどを倉庫に格納せざるを得なく、不経済であると共に大きな格納場所が必要になるという点である。
【課題を解決するための手段】
【０００７】
本発明は、トラックの荷台部分のシャーシ上あるいはトラクターに牽引される台車のシャーシ上に搭載するものであって、前記シャーシ上に載置されかつその後端側がダンプ式に押し上げられるようにその前端側を前記シャーシに回動可能に取り付けたダンプ式の機枠と、前記シャーシに取り付けられて前記機枠の後端側を押し上げる油圧シリンダと、前記機枠上に取り付けたフェアウェイ用ホッパーと、前記機枠に設置されて前記フェアウェイ用ホッパーからの落下目砂を後方に繰り出す目砂繰出機構と、この目砂繰出機構の前記シャーシから後方に突き出る目砂放出部の付近に位置するように前記機枠に架設される回転縦軸と、この回転縦軸の下端に着脱可能に取り付けられて前記目砂放出部からの落下目砂を回転力により水平方向に飛散させる回転羽根とを備え、かつ前記回転羽根を前記回転縦軸から外した後、前記油圧シリンダにより前記機枠の後端側を押し上げることにより、高さスペースのできた前記目砂放出部の下方にグリーン用目砂散布機をもぐり込ませて、そのグリーン用ホッパーに前記目砂放出部から直に目砂を投入するようにしたことを特徴とするフェアウェイ用目砂散布機である。
【０００８】
本発明のフェアウェイ用目砂散布機の好ましい態様では、回転縦軸を左右に並べた２本とし、この２本の回転縦軸を２個の軸受部材によりそれぞれ機枠に架設し、かつこの軸受部材をそれぞれ前後方向に傾動させることにより、前記各回転縦軸の下端がそれぞれ前後方向に揺動するようにしたものであって、前記２本の回転縦軸の下端にそれぞれ着脱可能に取り付けられる２枚の回転羽根を、回転縦軸の下端に嵌め込む円盤と、この円盤の上面にそれぞれ向き変更調節可能に取り付けられかつ円盤の円周方向に等間隔に３個以上存在する飛散部材とで構成し、かつ目砂繰出機構の目砂放出部からは両回転羽根の突き合う側の前方円盤上に等しく目砂が落下するようにすると共に、この落下目砂は飛散部材により互いに向き合ったまま後方に飛散されるように両回転羽根の回転方向を異ならせたことを特徴とする。
【０００９】
本発明のフェアウェイ用目砂散布機の好ましい態様では、トラックあるいはトラクターのＰＴＯ軸を駆動源とする油圧ポンプと、油圧バルブを介して前記油圧ポンプにより駆動される油圧モータとを備え、この油圧モータによって回転羽根及び目砂繰出機構を駆動するようにしたことを特徴とする。
【００１０】
本発明のフェアウェイ用目砂散布機の好ましい態様では、フェアウェイ用ホッパーをシャーシ上のほぼ全面に乗っかる大きさとすると共にその内部に２枚の仕切板を設けてその下半分を前後方向に三区分し、かつこのフェアウェイ用ホッパーの下方出口をその前後方向の全長にわたって開口する長孔形状とすると共にこの下方出口からの落下目砂を受け止めるように目砂繰出機構を配置して、この目砂繰出機構により目砂を後方に繰り出して後端の目砂放出部から目砂を放出するようにしたことを特徴とする。
【発明の効果】
【００１１】
本発明は、本機をダンプ式の機枠を用いてトラックの荷台部分のシャーシ上あるいはトラクターに牽引される台車のシャーシ上に搭載することにより、本機を機枠によりシャーシ上でダンプさせると、グリーン用目砂散布機のグリーン用ホッパーへ目砂を直接投入できるようになるので、グリーン用目砂散布機を使用する時期（週一回か１０日に一回）にも本機をグリーン用目砂散布機の目砂投入機として使用できるようになり、本機を一年中倉庫に寝かすことなくグリーン用目砂散布機と共に一年中頻繁に使用できるという効果がある。
よって、本機をグリーンサイドに移動させることにより、グリーンサイドでグリーン用目砂散布機は本機から直接目砂の供給がしかも機械的に受けられるので、目砂をスコップで移し変えるという人力作業が不要になるし、また本機によりグリーンサイドへの目砂の運搬が可能になるので別個の目砂運搬車が不要となる。
その上、ダンプ時には回転羽根を回転縦軸から外しておけるので、回転羽根がなくなることによって目砂放出部の下方に大きな高さスペースができ、その分ダンプの押し上げが少なくてすみ、重い本機を高く上げなくてもよくなるという効果も得られる。
【００１２】
本発明は、回転縦軸を左右に並べた２本とし、この２本の回転縦軸を２個の軸受部材によりそれぞれ機枠に架設することにより、軸受部材の前後への傾動によって回転縦軸の下端を前後方向に揺動させることができるので、目砂の飛び出し角度や目砂の飛距離、つまり散布範囲を所望通りに変更調節できるし、また回転羽根を二枚としてその突き合う側の前方円盤上に等しく目砂が落下するようにすると共にこの落下目砂は飛散部材により互いに向き合ったまま後方に放出されるように両回転羽根の回転方向を異ならせることにより、２本の回転縦軸の中間位置から左右両側に対称形でしかも全面均一に目砂を散布することができるので、トラックやトラクターの走行に対して目砂が左右両側に等しく均一に散布されることになり、トラックやトラクターによる散布作業がし易く作業能率が上がるという効果がある。
その際、回転羽根の飛散部材の向きを円周方向に変更調節すれば、目砂の飛散角度を変えられるので、これによっても目砂の散布範囲を変更調節できる。
【００１３】
本発明は、回転羽根及び目砂繰出機構を油圧駆動としたので、フェアウェイのアップダウンなどでトラックやトラクターのエンジンの回転が落ちるなど、ＰＴＯ軸の回転変化にも左右されずに、回転羽根及び目砂繰出機構を所定通りに駆動できると共に個々の駆動調節（変更）も走行しながらスイッチ操作だけで行え、よって安定した走行及び目砂の散布（均一散布）ができるという効果がある。
【００１４】
本発明は、フェアウェイ用ホッパーにおいて、目砂を十分に収容できるホッパー容量を確保できると共に２枚の仕切板によりホッパー内において目砂が前方または後方に大きく片寄るのを防止できるし、またフェアウェイ用ホッパーからの目砂繰出機構への目砂の落下も前後の一点に片寄ることなく前後三箇所に分散して落下することにより、目砂の落下がスムーズになって目砂繰出機構による目砂の繰り出しが安定かつ平均化するという効果がある。
【発明を実施するための最良の形態】
【００１５】
本発明のフェアウェイ用目砂散布機は、トラックの荷台部分のシャーシ上あるいはトラクターに牽引される台車のシャーシ上に載置した機枠を油圧シリンダによりダンプできるようにしておいて、回転羽根を回転縦軸から外した後、油圧シリンダにより機枠の後端側を押し上げてダンプし、高さスペースのできた目砂繰出機構の目砂放出部の下方にグリーン用目砂散布機をもぐり込ませ、そのグリーン用ホッパーに目砂放出部から直に目砂を投入できるようにしたことにより、実現したものである。
【実施例１】
【００１６】
本発明の一実施例を図１〜図８に示すトラック搭載式目砂散布機を用いて説明する。図１はトラック搭載式目砂散布機の全体を示す側面図、図２は図１の平面図、図３は図２の後方に目砂散布域を描いた部分平面図、図４は図３を後からみたものに目砂落下状況を描いた背面図、図５は図３を側面からみたものに目砂散布域を描いた側面図、図６は図５と同じ図に異なる目砂散布域を描いた側面図、図７は図１から本機をダンプした状態を示す側面図、図８は図７の状態で作業をする様子を示す側面図である。
【００１７】
図において、１はトラック、２はトラック１の荷台部分のシャーシ、３はシャーシ２のほぼ全面上に載置されかつその後端側がダンプ式に押し上げられる機枠、４は機枠３がダンプできるようにその前端側をシャーシ２に回動可能に取り付けるための支軸、５はシャーシ２に取り付けられて機枠３の後端側を押し上げる油圧シリンダ、６は機枠３上に取り付けられてシャーシ２のほぼ全面に乗っかる大きさを有するフェアウェイ用ホッパー、７はフェアウェイ用ホッパー６の前後方向の全長にわたって開口する長孔形状の下方出口、８はフェアウェイ用ホッパー６内の下半分を前後方向に三区分する２枚の仕切板である。
【００１８】
９は機枠３に設置した目砂繰出機構で、フェアウェイ用ホッパー６の下方出口７からの落下目砂を受け止めて順次後方に繰り出すようになっている。この目砂繰出機構９は、その原動軸９ａを油圧モータＡ１０により伝動ベルト１１を介して駆動されている。１２は目砂繰出機構９のシャーシ２から後方に突き出る目砂放出部で、この位置でここに繰り出されてくる目砂を放出している。なお、目砂放出部１２には、機枠３に取り付けたガイド板１３が付加されている。
【００１９】
１４は機枠３の後方に架設した２本の回転縦軸、１５は各回転縦軸１４をそれぞれ支持する２個の軸受部材で、回転縦軸１４の下端が前後方向に揺動できるように機枠３にそれぞれ傾動自在に取り付けてある。１６は各軸受部材１５にそれぞれ設置されて各回転縦軸１４を図３中矢印で示す異なる方向に駆動する２個の油圧モータＢである。１７は各回転縦軸１４の下端にそれぞれ着脱可能に取り付けた２枚の回転羽根で、各回転縦軸１４の下端にそれぞれ嵌め込まれかつ目砂繰出機構９の目砂放出部１２の下方にあって同一平面上の近接位置でそれぞれ回転する２個の円盤１７ａと、各円盤１７ａの上面にそれぞれ向き変更調節可能に取り付けられかつ円盤１７ａの円周方向に等間隔に３個以上（図では６個）存在する飛散部材１７ｂとで構成されている。
【００２０】
１８はトラック１のＰＴＯ軸、１９はＰＴＯ軸１８により駆動される油圧ポンプ、２０は油圧ポンプ１９と油圧シリンダ５とを繋ぐホース、２１は油圧ポンプ１９と油圧モータＡ１０との間に介在させた油圧バルブＡ、２２は油圧ポンプ１９と油圧モータＢ１６との間に介在させた油圧バルブＢである。なお、油圧バルブＡ２１及び油圧バルブＢ２２は、図示省略しているがスイッチ操作できるようになっている。
【００２１】
図１〜図６に示す状態、つまり機枠３をダンプしない状態では、このままフェアウェイに目砂を散布することができる。
まず、フェアウェイ用ホッパー６に目砂を入れてトラック１によりフェアウェイに行く。予めＰＴＯ軸１８により油圧ポンプ１９を駆動しておいて、フェアウェイに着くと、走行しながらスイッチ操作により油圧バルブＡ２１及び油圧バルブＢ２２を開く。そうすると、油圧モータＡ１０により原動軸９ａがベルト駆動されて目砂繰出機構９が作動されるので、目砂繰出機構９により下方出口７からの落下目砂が順次後方に繰り出され、目砂放出部１２から目砂が落下（放出）する。片や油圧モータＢ１６により各回転羽根１７が回転されるので、先ほどの目砂放出部１２からの落下目砂はこの回転羽根１７により水平方向に飛散される。よって、トラック１により走行しながらフェアウェイに目砂を散布することができる。
【００２２】
このようにフェアウェイ用ホッパー６に目砂を多量に入れてトラック１により走行してフェアウェイに行き、現場では走行しながらスイッチ操作を行うのみで、後は計画通りトラック１により走行しながらフェアウェイに目砂を散布できる。つまり春か秋の年一回のフェアウェイの目砂散布が本機により簡単かつ楽に行える。
【００２３】
本実施例のように２本の回転縦軸１４によりそれぞれ回動される２枚の回転羽根１７としておくと、目砂繰出機構９の目砂放出部１２から落下（放出）する目砂は、図４に示すようにガイド板１３により左右の回転羽根１７上に均等に振り分けられるので、両回転羽根１７の突き合う側の前方円盤１７ａ上に等しく目砂が落下し、そのまま異なる方向の回転力によりうまく２本の回転縦軸１４の中間位置から左右両側に対称形でしかも全面均一に飛散される。つまり、図３に示すようにトラック１の走行に対して目砂が左右両側に等しく均一に散布され、トラック１による散布作業がし易く作業能率が上がる。
【００２４】
また、本実施例のように２本の回転縦軸１４をそれぞれ２個の軸受部材１５により支持しておくと、この軸受部材１５によって、回転縦軸１４を後方へ振って回転羽根１７が図５に示すように後方上向きになるようにセットできるので、目砂をより遠くへ飛ばすことができて散布範囲が広がるし、逆に回転縦軸１４を軸受部材１５により前方へ振って回転羽根１７が図６に示すように後方下向きになるようにセットできるので、目砂を芝生に叩き付ける角度の散布となって散布範囲が若干狭くなるが通常散布後に必要な目砂のスリコミ作業が不要となり、全体の作業効率が上がる。
その際、円盤１７ａ上の各飛散部材１７ｂの向きを円周方向に若干変更調節することにより目砂の飛散角度が変わるので、これによっても目砂の散布範囲を変更調節できる。
【００２５】
次に、本機をグリーン用目砂散布機の目砂投入機として使用する場合を図７、図８を用いて説明する。なお、この目砂投入機としての使用時には、予め図１の状態において回転羽根１７を回転縦軸１４から外しておく。
【００２６】
この回転羽根１７のない状態で、フェアウェイ用ホッパー６に目砂を入れてトラック１によりグリーンサイドに行く。予めＰＴＯ軸１８により油圧ポンプ１９を駆動しておいて、グリーンサイドに着くと、この油圧ポンプ１９からの油圧により油圧シリンダ５を作動して機枠３の後端側を図７に示すように押し上げ、機枠３をダンプさせる。そして、トラック１後方の目砂放出部１２の下方位置に図８に示すようにグリーン用目砂散布機２３をもぐり込ませる。後はスイッチ操作により油圧バルブＡ２１を開くと、油圧モータＡ１０により目砂繰出機構９が駆動されてフェアウェイ用ホッパー６からの落下目砂が順次後方に繰り出されて目砂放出部１２から目砂が落下（放出）するので、グリーン用目砂散布機２３のグリーン用ホッパー２３ａ内に目砂を投入することができる。
【００２７】
このように機枠３をダンプすると、本機からグリーン用目砂散布機２３に目砂を直に投入できるので、グリーン用目砂散布機２３を使用する時期（週一回か１０日に一回）にも本機をグリーン用目砂散布機２３の目砂投入機として使用できるようになり、本機を一年中倉庫に寝かすことなくグリーン用目砂散布機２３の目砂投入機としても使用できて一年中頻繁に使用できる。
【００２８】
その際、グリーンサイドにおいて、グリーン用目砂散布機２３は本機から直接目砂の供給がしかも機械的に受けられるので、目砂をスコップで移し変えるという人力作業が不要になるし、また本機によりグリーンサイドへの目砂の運搬も可能になるので別個の目砂運搬車が不要となる。
【００２９】
また、本機はフェアウェイ用ホッパー６に多量の目砂を積み込めるので、グリーンサイドにおいてグリーン用目砂散布機２３のグリーン用ホッパー２３ａへ何度でも目砂を供給でき、いくつものグリーンへ移動して一度に数箇所のグリーンへの目砂散布が可能になるし、本機のフェアウェイ用ホッパー６が空になれば、ダンプを戻して（機枠３を下げる）、トラック１として目砂を取りに行けば便利であると共に作業性が良く作業時間の大幅な短縮が図れる。
【００３０】
さらに、ダンプ時には、図７、図８に示すように回転羽根１７を回転縦軸１４から外しておけるので、回転羽根１７がなくなることによって目砂放出部１２の下方に大きな高さスペースＨができ、その分ダンプの押し上げが少なくてすみ、重い本機を高く上げなくてもよくなる。
【００３１】
なお、ダンプにより形成される高さスペースＨは、最大１．５ｍ（トラック１のシャーシ２の高さを０．７４ｍ位として）に設定されている。よって、グリーン用ホッパー２３ａの高さｈが１．２ｍ〜１．４ｍのグリーン用目砂散布機２３は、そのグリーン用ホッパー２３ａ部分が図８に示すように目砂放出部１２の下方に十分にもぐり込むことができる。その際、グリーン用ホッパー２３ａの高さｈに合わせて、本機のダンプ時の押し上げ（高さスペースＨ）を調整して、目砂放出部１２をできるだけグリーン用ホッパー２３ａに近づけておくと、目砂放出部１２から投入される目砂の周囲への飛散を極力防止できる。
【００３２】
上記実施例では、回転羽根１７を油圧モータＢ１６による駆動、また目砂繰出機構９を油圧モータＡ１０による駆動、つまりいずれも油圧駆動としているので、フェアウェイのアップダウンなどでトラック１のエンジンの回転が落ちるなど、ＰＴＯ軸１８の回転変化にも左右されずに、回転羽根１７及び目砂繰出機構９を所定通りに駆動できると共に個々の駆動調節（変更）も走行しながらスイッチ操作だけで行え、よって安定した走行及び目砂の散布（均一散布）ができる。
【００３３】
その際、回転羽根１７及び目砂繰出機構９の駆動（回転）を個々に調節できることにより、目砂の薄まき、厚まきを自在に行えるので、ゴルフプレーに支障がないようにフェアウェイの部分毎に季節、状態に合った目砂散布が実施できる。
【００３４】
また、上記実施例では、フェアウェイ用ホッパー６をシャーシ２上のほぼ全面に乗っかる大きなものとして目砂を十分に収容できるようにすると共にその内部に２枚の仕切板８を設けて目砂が前方または後方に大きく片寄るのを防止している。また、この２枚の仕切板８により、フェアウェイ用ホッパー６からの目砂繰出機構９上への目砂の落下もたとえフェアウェイ用ホッパー６が傾いても前後の一点に片寄ることなく前後三箇所に分散して落下するので、目砂の落下がスムーズになって目砂繰出機構９による目砂の繰出しが安定かつ平均化する。
【００３５】
以上説明した本目砂散布機のダンプ状態で、目砂放出部１２から目砂を放出できる状態（図７の状態）では、バンカーへ砂を供給する機械としても使用できるので、その使用頻度（時期）がさらに広がり、有用である。
【実施例２】
【００３６】
本発明の他の実施例を図９に示すトラクター牽引式目砂散布機を用いて説明する。図９はトラクター牽引式目砂散布機の全体を示す側面図である。
図において、２４はトラクター、２５はトラクター２４により牽引される台車、２６は台車２５のシャーシである。このシャーシ２６上に搭載される本目砂散布機は、前記実施例１のもの（符号３〜２２）と同一であるので、その構成の図示及び説明を省略する。
【００３７】
よって、本実施例においても、本目砂散布機を台車２５を用いてトラクター２４により牽引してトラクター２４により走行しながらフェアウェイに目砂を散布したり、機枠３をダンプしてグリーン用目砂散布機２３の目砂投入機として使用するが、かかる本目砂散布機による作用、効果は前記実施例１のものと同一であるので、その説明を省略する。
【産業上の利用可能性】
【００３８】
本発明は、ゴルフ場のフェアウェイ（芝生）に目砂を散布するフェアウェイ用目砂散布機に広く活用できる。
【図面の簡単な説明】
【００３９】
【図１】本発明の実施例１を示すもので、トラック搭載式目砂散布機の全体を示す側面図である。
【図２】図１の平面図である。
【図３】図２の後方に目砂散布域を描いた部分平面図である。
【図４】図３を後からみたものに目砂落下状況を描いた背面図である。
【図５】図３を側面からみたものに目砂散布域を描いた側面図である。
【図６】図５と同じ図に異なる目砂散布域を描いた側面図である。
【図７】図１から本機をダンプした状態を示す側面図である。
【図８】図７の状態で作業をする様子を示す側面図である。
【図９】本発明の実施例２を示すもので、トラクター牽引式目砂散布機の全体を示す側面図である。
【符号の説明】
【００４０】
１：トラック
２：トラック１のシャーシ
３：機枠
４：支軸
５：油圧シリンダ
６：フェアウェイ用ホッパー
７：フェアウェイ用ホッパー６の下方出口
８：仕切板
９：目砂繰出機構
９ａ：目砂繰出機構９の原動軸
１０：油圧モータＡ
１１：伝動ベルト
１２：目砂繰出機構９の目砂放出部
１３：ガイド板
１４：回転縦軸
１５：軸受部材
１６：油圧モータＢ
１７：回転羽根
１７ａ：回転羽根１７の円盤
１７ｂ：回転羽根１７の飛散部材
１８：ＰＴＯ軸
１９：油圧ポンプ
２０：ホース
２１：油圧バルブＡ
２２：油圧バルブＢ
２３：グリーン用目砂散布機
２３ａ：グリーン用ホッパー
２４：トラクター
２５：台車
２６：台車２５のシャーシ
【図１】
0004742115.tif 000002
【図２】
0004742115.tif 000003
【図３】
0004742115.tif 000004
【図４】
0004742115.tif 000005
【図５】
0004742115.tif 000006
【図６】
0004742115.tif 000007
【図７】
0004742115.tif 000008
【図８】
0004742115.tif 000009
【図９】
0004742115.tif 000010